(57)【要約】【課題】野地板上に設けられる凹凸屋根材の野地板の軒側端縁よりも屋外側に突出する出代部の導入口から小動物が侵入するのが抑制される屋根構造を提供する。【解決手段】下方に開口し上方に突出する凸部３１と上方に開口し下方に凹む凹部３２とが軒に沿う方向に交互に形成された凹凸屋根材３を備え、この凹凸屋根材３が野地板２上に設けられて凸部３１と野地板２との間に通気空間３０が形成され、凹凸屋根材３は軒棟方向において野地板２の軒側端縁よりも屋外側に突出する出代部３３を有し、この出代部３３における凸部３１の内側から通気空間３０に外気が導入されるようにした屋根構造である。出代部３３における凹凸屋根材３の下端から下方に所定距離離間して配置され、凹凸屋根材３の下端から所定距離下方に離間して配置される隙間形成片５３を有する水切り５が設けられる。【選択図】図１
2014095239.tif 000002
【特許請求の範囲】
【請求項１】
下方に開口し上方に突出する凸部と上方に開口し下方に凹む凹部とが軒に沿う方向に交互に形成された凹凸屋根材を備え、この凹凸屋根材が野地板上に設けられて前記凸部と前記野地板との間に通気空間が形成され、前記凹凸屋根材は軒棟方向において前記野地板の軒側端縁よりも屋外側に突出する出代部を有し、この出代部における前記凸部の内側から前記通気空間に外気が導入されるようにした屋根構造であって、
前記出代部における前記凹凸屋根材の下端から下方に所定距離離間して配置され、前記凹凸屋根材の下端から所定距離下方に離間して配置される隙間形成片を有する水切りが設けられることを特徴とする屋根構造。
【発明の詳細な説明】
【技術分野】
【０００１】
本発明は、屋根構造に関する。
【背景技術】
【０００２】
建造物の野地板上にスレート等の屋根材が設けられた屋根構造が知られている（例えば特許文献１参照）。この屋根構造では、野地板と屋根材との間の通気性が良くないという問題がある。そこで、凸部と凹部とを軒方向に交互に有する凹凸屋根材を用い、この凹凸屋根材を野地板上に設置して、凸部と野地板との間に通気空間を形成するものが開発された（特願２０１２−２２７０３２）。
【先行技術文献】
【特許文献】
【０００３】
【特許文献１】特開２００２−１６７９２７号公報
【発明の概要】
【発明が解決しようとする課題】
【０００４】
これは、図９に示すように、下方に開口し上方に突出する凸部３１と、上方に開口し下方に凹む凹部３２（図５参照）とが軒に沿う方向に交互に形成されて、凹凸屋根材３が形成される。この凹凸屋根材３が野地板２上に設けられて凸部３１と野地板２との間に通気空間３０が形成される。凹凸屋根材３は軒棟方向において野地板２の軒側端縁よりも屋外側に突出する出代部３３を有し、この出代部３３における凸部３１の内側の導入口３４から通気空間３０に外気が導入されるようにしている。
【０００５】
図９に示す従来例にあっては、野地板２の軒側の端部上に（図示例では水切り５を介して野地板２の軒側の端部上に）固定部材４が載置されて固定されている。固定部材４は、野地板２の軒側の端部上に載置される載置片４１と、載置片４１から屋外側に向かって突出するカバー片４２とを備える。そして、カバー片４２の一部が切り起こされて、カバー片４２から起立する面戸部４４が設けられ、カバー片４２の面戸部４４が切り起こされた跡に連通口４０が形成されている。
【０００６】
また、図９に示す従来例にあっては、野地板２の軒側端部に、軒方向に長い水切り５が設けられている。水切り５は、野地板２上に載置される板状の載置片５１と、載置片５１の屋外側縁部から垂れ下がる水切り片５４を有している。水切り片５４は、野地板２の軒側端面を覆い、その屋外側の面に付着した雨水が水切り片５４の下縁から軒樋１３に流れ落ちるようになっている。
【０００７】
ところで、この従来例にあっては、連通口４０および導入口３４か小動物等が侵入する惧れがあった。
【０００８】
本発明は前記問題点に鑑みて発明したものであって、その目的とするところは、野地板上に設けられる凹凸屋根材の野地板の軒側端縁よりも屋外側に突出する出代部の導入口から小動物等が侵入するのが抑制される屋根構造を提供することにある。
【課題を解決するための手段】
【０００９】
前記課題を解決するために本発明を、下記構成を具備した屋根構造とする。
【００１０】
即ち、本発明は、下方に開口し上方に突出する凸部と上方に開口し下方に凹む凹部とが軒に沿う方向に交互に形成された凹凸屋根材を備え、この凹凸屋根材が野地板上に設けられて前記凸部と前記野地板との間に通気空間が形成され、前記凹凸屋根材は軒棟方向において前記野地板の軒側端縁よりも屋外側に突出する出代部を有し、この出代部における前記凸部の内側から前記通気空間に外気が導入されるようにした屋根構造であって、前記出代部における前記凹凸屋根材の下端から下方に所定距離離間して配置され、前記凹凸屋根材の下端から所定距離下方に離間して配置される隙間形成片を有する水切りが設けられることを特徴とする。
【発明の効果】
【００１１】
本発明の屋根構造にあっては、野地板上に設けられる凹凸屋根材の野地板の軒側端縁よりも屋外側に突出する出代部の導入口から小動物等が侵入するのが抑制される、という効果を奏する。
【図面の簡単な説明】
【００１２】
【図１】本発明の一実施形態の屋根構造における軒部を示す側断面図である。
【図２】同上の屋根構造の野地板、固定部材、水切りの分解斜視図である。
【図３】同上の固定部材を示し、（ａ）は正面図であり、（ｂ）は平面図であり、（ｃ）は側面図である。
【図４】同上の水切りを示し、（ａ）は正面図であり、（ｂ）は平面図であり、（ｃ）は側面図である。
【図５】同上の屋根構造の全体斜視図である。
【図６】同上において凹凸屋根材を固定部材に固定する前の斜め上方より見た斜視図である。
【図７】同上において凹凸屋根材を固定部材に固定した状態の斜め上方より見た斜視図である。
【図８】同上において凹凸屋根材を固定部材に固定した状態の斜め下方より見た斜視図である。
【図９】従来の屋根構造における軒部を示す側断面図である。
【発明を実施するための形態】
【００１３】
本発明を、添付図面に示す一実施形態に基づいて説明する。まず、本実施形態の屋根構造について説明する。本実施形態の屋根構造は、図５に示す片流れ屋根を有する建物１に適用したものである。
【００１４】
以下の本文中では、傾斜した屋根面に沿って軒と棟を結ぶ方向を軒棟方向Ｄ１とし、軒に沿う方向を軒方向Ｄ２とする。
【００１５】
図５に示すように、建物１の軒側の外壁の上端部には、屋外側に向かって突出する軒部１１が形成されている。また、建物１の棟側の外壁の上端部には、屋外側に向かって突出する棟部１２が形成されている。
【００１６】
建物１の屋根下地は、図１に示すように、垂木等の建築躯体上に野地板２を設けることで形成されている。野地板２は棟側から軒側に向かって一様な角度で下り傾斜している。野地板２の軒側端部は軒部１１よりもさらに屋外側に突出している。野地板２の軒側端面は軒部１１の屋外側の面と略平行である。野地板２の棟側端部は、軒棟方向Ｄ１において棟部１２の屋外側の面よりも屋内側に控えた位置に配置されている。
【００１７】
図１、図２に示すように野地板２の軒側の端部上には、固定部材４が載置されて固定される。これにあたり、本実施形態では、まず野地板２の軒側の端部上に、軒方向Ｄ２の略全長に亘って水切り５が載置され、水切り５の上に、板状をした固定部材４が軒方向Ｄ２の略全長に亘って載置されている。図３に固定部材４を示し、図４に水切り５を示す。水切り５及び固定部材４は鋼板製である。水切り５や固定部材４は軒方向Ｄ２に複数並べて設けた部材で構成してもよいし、軒方向Ｄ２に亘って一体に形成したものであってもよいし、板状をしたものでなくてもよい。固定部材４および水切り５については後述する。
【００１８】
図２、図３に示すように、固定部材４には面戸部４４が設けられる。面戸部４４は、固定部材４において、軒方向Ｄ２に間隔を介して複数形成されている。各面戸部４４は、図６に示すように、後述する凹凸屋根材３の凸部３１の軒側の端部の開口（後述する通気空間３０の端部の開口）を略閉塞するように配置される。
【００１９】
野地板２の上には、図５に示すように、凹凸屋根材３が軒方向Ｄ２に複数並べて載置されている。各凹凸屋根材３は鋼板製である。各凹凸屋根材３は、下方に開口し且つ上方に突出する凸部３１と、上方に開口し且つ下方に凹む凹部３２とを、軒方向Ｄ２に交互に形成したものである。各凸部３１の側面部は、隣接する凹部３２の側面部を兼ねている。各凸部３１の両側面部は上面部に対して略直角である。
【００２０】
各凹凸屋根材３の軒側部分は、図１に示すように、固定部材４及び水切り５を介して、野地板２上に載置される。
【００２１】
図１に示すように、野地板２とこの上に配置された各凹凸屋根材３の間には、通気空間３０が形成されている。各通気空間３０は、凸部３１と野地板２で囲まれた空間であり、図５に示すように軒方向Ｄ２に沿って凸部３１と同数形成されている。通気空間３０は、軒棟方向Ｄ１と直交する断面において、断面矩形状となるように形成されており、凹凸屋根材３の軒棟方向Ｄ１の全長に亘って形成されている。
【００２２】
凹凸屋根材３の軒側端部は、図１に示すように、軒棟方向Ｄ１において野地板２の軒側端縁よりも屋外側に位置した出代部３３となっている。凹凸屋根材３の出代部３３における凸部３１（すなわち、各凸部３１の軒側の端部）は、下方に開口している。これら出代部３３における各凸部３１の下開口は、軒棟方向Ｄ１に長い矩形状に形成されており、この下開口部分が、対応する通気空間３０の導入口３４を構成している。
【００２３】
図１に示すように、水切り５、固定部材４は、対応する凹凸屋根材３と野地板２の間に挟み込まれた状態で、野地板２に対して固定されている。
【００２４】
固定部材４の棟側部分は、図３、図６に示すように、野地板２の軒側の端部上に（本実施形態では水切り５を介して）載置される載置片４１となる。固定部材４の載置片４１よりも軒側部分は、軒棟方向Ｄ１において野地板２よりも屋外側に向かって突出している。この突出部分がカバー片４２を構成し、各凹凸屋根材３の出代部３３の下側において、導入口３４を覆うように配置されている。カバー片４２において各導入口３４と重なる部分には、連通口４０が形成されている。カバー片４２の軒側端部には、板状の水切り片４３が下方にむけて突設されている。
【００２５】
本実施形態においては、図２、図３、図６等に示すように平板状をした固定部材４が折曲されることで、水切り片４３が形成される。そして、カバー片４２の一部が切り起こされて、切り起こされた跡に連通口４０が形成され、切り起こされた面戸部４４がカバー片４２から起立している。さらに、面戸部４４の上端部が棟側に折曲されて、凸部３１の上面を上方より押さえる押さえ片４５が形成されている。
【００２６】
また、カバー片４２の連通口４０の棟側の端縁が切り起こされて、位置決め片４６が形成されている。位置決め片４６の軒方向Ｄ２の長さは、凸部３１の内面の軒方向Ｄ２の距離と略同じかこれより若干短く形成されている。位置決め片４６により、凹凸屋根材３の固定部材４に対する軒方向Ｄ２の固定位置が決められる。
【００２７】
水切り５の棟側部分は、図１、図４に示すように、野地板２の軒側端部上に載置される載置片５１となる。載置片５１の軒側端縁には、野地板２の軒側端面に沿って所定長さ下側に突出する板状の端面覆い片５２が形成されている。端面覆い片５２は、水切り５の軒方向Ｄ２の全長に亘って形成されている。端面覆い片５２の下端部からは、野地板２の軒側端面に略垂直となるように軒側に突出する隙間形成片５３が形成されている。隙間形成片５３の軒側先端からは、下方または軒側斜め下方に向けて水切り片５４が形成されている。
【００２８】
隙間形成片５３は、および固定部材４のカバー片４２（および凹凸屋根材３）の下端から所定距離（端面覆い片５２の長さと略同じ距離）下方に離間して配置される。これにより、凹凸屋根材３の下端と隙間形成片５３との間には、所定の幅（所定距離と同じ長さ）有する隙間７が形成されている。この所定距離は、侵入を阻止する対象を、雀や蝙蝠、小動物とする場合、これらの小動物が侵入し難い長さ（１ｃｍ〜３ｃｍ程度）に設定される。また、侵入を阻止する対象を、蜜蜂等の昆虫とする場合、これらの昆虫が侵入し難い長さ（３ｍｍ〜１０ｍｍ程度）に設定される。
【００２９】
屋外の空気は、カバー片４２と隙間形成片５３の間の隙間７及び連通口４０（導入口３４）を順に経て、各通気空間３０に導入されるようになっている。この場合、隙間７に入り込んだ空気は、端面覆い片５２の屋外側の面と、水切り片４３の屋内側の面およびカバー片４２の下面に沿って上昇し、連通口４０（導入口３４）にまで誘導される。連通口４０を通じて通気空間３０にまで導入された空気は、通気空間３０の棟側の端部開口である導出口（不図示）から排出される。これにより、野地板２と凹凸屋根材３の間において、良好な通気性が確保される。
【００３０】
図５に示すように、軒部１１の屋外側には、軒部１１に沿って軒樋１３が設けられている。軒樋１３は、各凹凸屋根材３の上面から屋外側に流出した雨水を受ける位置に設置されている。より具体的に述べると、この軒樋１３は、各通気空間３０の導入口３４、水切り片５４の下端部、及び、水切り片４３の下端部の、夫々の下方に位置するように設置されている。これにより、各通気空間３０に雨水が浸入した場合に、カバー片４２の連通口４０から排出された雨水を、軒樋１３で受けることができる。また、水切り片５４の下端部や水切り片４３の下端部から落下した雨水を、軒樋１３で受けることができる。
【００３１】
本実施形態では、図５に示すように、複数の凹凸屋根材３で構成される屋根面上に、機能パネルとしての太陽光発電パネル６が設けられている。太陽光発電パネル６は、シリコンを主材料とした半導体素子により太陽光エネルギーを電気エネルギーに変換して出力するものである。太陽光発電パネル６は、上下両面で受光して発電可能な両面受光型のパネルであってもよいし、上面のみで受光して発電可能なパネルであってもよい。
【００３２】
図５に示すように、凹凸屋根材３同士を連結する連結具（不図示）または凸部３１には、上方に突出するボルト１４が設けられている。太陽光発電パネル６は、このボルト１４等からなる取付具により、屋根面上に固定されている。
【００３３】
図５に示すように、太陽光発電パネル６は複数の凸部３１の上面に載置されており、複数の凸部３１に跨っている。このため、太陽光発電パネル６とこの下方に位置する凹凸屋根材３の間には、第二通気空間（不図示）が形成されている。第二通気空間は、太陽光発電パネル６と、凹凸屋根材３の凹部３２で囲まれた空間であり、太陽光発電パネル６で閉塞された凹部３２と同数だけ形成される。第二通気空間は、軒棟方向Ｄ１と直交する断面において断面矩形状となるように形成されている。第二通気空間は、太陽光発電パネル６の軒棟方向Ｄ１における全長に亘って形成される。
【００３４】
ところで、太陽光発電パネル６は、周囲の雰囲気温度が高い場合や、直射日光が長時間照射された場合等に、発電素子が高温になって発電効率（変換効率）が低下する恐れがある。しかし、本実施形態では、前記のように太陽光発電パネル６の下方に第二通気空間を設けたことで、通気空間３０および第二通気空間を流れる空気により太陽光発電パネル６を冷却し、太陽光発電パネル６の温度上昇を抑えることができる。したがって、太陽光発電パネル６の発電効率の低下が抑制される。
【００３５】
以下においては、凹凸屋根材３を野地板２に固定するための構造や手順について詳述する。
【００３６】
上述したように、固定部材４には、凹凸屋根材３が有する各凸部３１と対応するように、複数の面戸部４４を上方に突出させて設けている。
【００３７】
凹凸屋根材３を面戸部４４に固定するに際し、まず図１、図２に示すように、水切り５の載置片５１が野地板２の軒側の端部上に載置されて固定される。釘やビス等の固着具（不図示）が載置片５１を介して野地板２に打ち込まれることで、水切り５が野地板２に固定される。
【００３８】
次に、図６に示すように、固定部材４の載置片４１が野地板２の軒側の端部上に（本実施形態では水切り５を介して）載置されて固定される。載置片４１には、釘やビス等の固着具の挿通孔４７が形成されていて、この挿通孔４７を介して固着具（不図示）が野地板２に打ち込まれることで、固定部材４が野地板２に固定される。
【００３９】
本実施形態では、図２〜図４に示すように、固定部材４の載置片４１にリベット用孔４８が形成されているとともに、水切り５の載置片５１にもリベット用孔５５が形成されている。このリベット用孔４８、５５にリベット（不図示）が挿通されて、固定部材４と水切り５とが予め一体に連結可能となる。この場合、固定部材４と水切り５とを別々に野地板２に固定する必要がなく、作業の簡略化が図られる。
【００４０】
そして面戸部４４は、各凸部３１の軒側端部（つまり通気空間３０の軒側端部）に一対一で突き合わされ、図７に示すように、面戸部４４が通気空間３０の軒側端部の開口を閉塞するように、凹凸屋根材３が固定部材４上に配置される。
【００４１】
面戸部４４は、凹凸屋根材３の凸部３１内の通気空間３０の断面形状と略同じ形状で若干小さく形成され、通気空間３０の軒側端部の開口内に挿入される。
【００４２】
この構造によれば、軒先に強風等の負荷が加えられても、その負荷によって凹凸屋根材３の軒先部分がめくれ上がって外れることや、バタバタと異音を生じさせることが抑えられる。加えて、この構造によれば、軒方向Ｄ２に沿って凸部３１と凹部３２を交互に有する凹凸屋根材３が、固定後に撓みを生じることも抑えられる。
【００４３】
以上のような屋根構造においては、隙間形成片５３が設けられることで、凹凸屋根材３の下端と隙間形成片５３との間に隙間７が形成され、小動物や昆虫が通気空間３０に侵入するのが抑制されるものである。
【００４４】
以上、本発明を添付図面に示す実施形態に基づいて説明したが、本発明は前記実施形態に限定されるものではない。例えば、本実施形態では、機能パネルを太陽光発電パネル６で構成したが、その他の機能を有するパネルで構成しても構わないし、機能パネルを省略することも可能である。また、本発明は片流れ屋根だけではなく切妻屋根等のその他の形状の屋根にも適用可能である。その他の構成についても、本発明の意図する範囲内であれば、適宜の設計変更を行うことが可能である。
【符号の説明】
【００４５】
１    建物
１１  軒部
１２  棟部
１３  軒樋
１４  ボルト
２    野地板
３    凹凸屋根材
３０  通気空間
３１  凸部
３２  凹部
３３  出代部
３４  導入口
４    固定部材
４０  連通口
４１  載置片
４２  カバー片
４３  水切り片
４４  面戸部
４５  折返し片
４６  位置決め片
４７  挿通孔
４８  リベット用孔
５    水切り
５１  載置片
５２  端面覆い片
５３  隙間形成片
５４  水切り片
５５  リベット用孔
６    太陽光発電パネル
７    隙間
Ｄ１  軒棟方向
Ｄ２  軒方向
【図１】
2014095239.tif 000003
【図２】
2014095239.tif 000004
【図３】
2014095239.tif 000005
【図４】
2014095239.tif 000006
【図５】
2014095239.tif 000007
【図６】
2014095239.tif 000008
【図７】
2014095239.tif 000009
【図８】
2014095239.tif 000010
【図９】
2014095239.tif 000011